(57)【要約】      （修正有）【課題】小型化の市場要求を満たすカメラを提供する。【解決手段】カメラ機器は、キャビネット2内に形成された切欠き20又は空洞内に、グリップ1を出没可能に設け、グリップ1は切欠き20又は空洞内にて、水平面内を前後に回動させ、カメラ全体の横幅を小さくする。グリップ1内には、電池6が収納され、グリップ内の空間を有効に利用する。キャビネット内にグリップの使用時にカメラの電源をオンするスイッチを設ける。【選択図】  図２
2006139159.tif 000002
【特許請求の範囲】
【請求項１】
キャビネット(２)内に形成された切欠き(20)又は空洞(21)内に、グリップ(１)を出没可能に設け、グリップ(１)は水平面に沿って前後に回動することを特徴とするカメラ機器。
【請求項２】
グリップ(１)内には、電池(６)が収納される請求項１に記載のカメラ機器。
【請求項３】
キャビネット(２)内には、グリップ(１)の回動に応じて、ＯＮ／ＯＦＦするスイッチ(SW)が設けられた請求項１又は２に記載のカメラ機器。
【請求項４】
キャビネット(２)内には、グリップ(１)を回動位置にて軟係止する止め機構(51)が配備された請求項１乃至３の何れかに記載のカメラ機器。
【発明の詳細な説明】
【技術分野】
【０００１】
本発明は、把持用のグリップを具えたデジタルカメラのようなカメラ機器に関する。
【背景技術】
【０００２】
従来、把持用のグリップ(１)を具えたデジタルカメラには、図１１に示すものがある(例えば、特許文献１参照)。これは、レンズ(25)を具えたキャビネット(２)の側部に、グリップ(１)を枢支(10)しており、グリップ(１)はキャビネット(２)の外側に位置する。使用者はグリップ(１)を把持して、キャビネット(２)を支える。
【０００３】
【特許文献１】特開平１１−１５０７２号公報
【発明の開示】
【発明が解決しようとする課題】
【０００４】
図１１に示す構成では、グリップ(１)がキャビネット(２)の外側に位置しているから、カメラ全体の横幅が大きくなる。これでは、カメラの小型化を求める市場の要求を満たすことができない。
本発明の目的は、カメラ全体の横幅を小さくすることにある。
【課題を解決するための手段】
【０００５】
カメラ機器は、キャビネット(２)内に形成された切欠き(20)又は空洞(21)内に、グリップ(１)を出没可能に設け、グリップ(１)は水平面に沿って前後に回動する。グリップ(１)内には、電池(６)が収納される。
【発明の効果】
【０００６】
グリップ(１)は切欠き(20)又は空洞(21)内にて水平面に沿って前後に回動して、該切欠き(20)又は空洞(21)から出没する。従って、グリップ(１)はキャビネット(２)内に収納されたまま出没するので、カメラ全体の横幅は大きくならない。
また、グリップ(１)内に電池(６)を収納することによって、グリップ(１)内の空間を有効に利用することができる。
【発明を実施するための最良の形態】
【０００７】
以下に、本発明の一実施例を図を用いて説明する。
図１(a)、(b)、(c)は、カメラ機器の斜視図である。レンズカバー(26)を有するキャビネット(２)の側部に設けられた切欠き(20)内には、グリップ(１)が配備されている。以下の記載では、キャビネット(２)のレンズカバー(26)を設けた方を前方、逆方向を後方と呼ぶ。
グリップ(１)は一端部の上下面がキャビネット(２)に枢支(10)されて、水平面に沿って回動し、切欠き(20)から出没する。ここで、水平面とはレンズの光軸Ｌを含み、且つキャビネット(２)の横方向を含む面を指す。
グリップ(１)は、図１(b)の如く、端部が前方に突出し、図１(c)の如く、後方にも突出する。グリップ(１)は一端部の上面又は下面の一方だけが枢支(10)されてもよい。即ち、図１(a)、(b)、(c)では、キャビネット(２)の切欠き(20)の上下は、グリップ(１)の上下面に対向する庇(22)(22)を形成しているが、この庇(22)は上下何れか一方だけでもよい。
グリップ(１)を枢支部(10)を中心として回動させ、グリップ(１)の端部をキャビネット(２)の前方又は後方に突出させる。使用者は、突出したグリップ(１)の端部を把持して、安定してキャビネット(２)を支持することができる。
【０００８】
図２は、グリップ(１)の内部構成を示す斜視図であり、図３は、図２の平面図である。図示の便宜上、図２及び図３では、レンズカバー(26)の記載を省く。グリップ(１)は、略コ字形の回動枠(３)を具え、該回動枠(３)の内側に、電池(６)及びメモリカード(60)が配備される。グリップ(１)は、キャビネット(２)内に設けられて回動枠(３)に被さる略コ字形の支持枠(４)に枢支(10)され、支持枠(４)上には回動枠(３)に繋がって回動するクリック板(５)が配備されている。クリック板(５)には、クリック板(５)の回動位置に応じて複数の孔(50)(50)が開設されており、支持枠(４)の上面には、孔(50)(50)に嵌まるボール(40)が上向きにバネ付勢されて設けられている。
グリップ(１)を手で回動させると、所定の回動位置にてボール(40)が孔(50)に嵌まり、グリップ(１)はキャビネット(２)に軟係止される、つまり軽くロックされる。従って、ボール(40)と孔(50)にて、グリップ(１)を所定の回動位置に軟係止する止め機構(51)を構成する。これにより、使用者は安定してグリップ(１)を把持することができる。回動位置から稍力を加えて、グリップ(１)を回動させると、ボール(40)と孔(50)の嵌合が外れ、グリップ(１)は次の回動位置に向けて動く。
【０００９】
図４は、グリップ(１)を下方から見たカメラ機器の斜視図である。支持枠(４)の下面には、回動枠(３)に繋がった回動検出板(７)が回動自在に設けられ、キャビネット(２)内には、回動検出板(７)に操作される電源ＯＮ／ＯＦＦ用のスイッチ(SW)が配備されている。
図５(a)、(b)は、回動検出板(７)とスイッチ(SW)の下面図である。回動検出板(７)は、回動方向に沿って凹部(71)と円弧状の突部(70)とを具え、スイッチ(SW)は突部(70)に押される操作片(75)を有する。
グリップ(１)が切欠き(20)内に収納されているときは、カメラ機器を使用しないときであり、図５(a)に示すように、突部(70)はスイッチ(SW)の操作片(75)を押し込んでいる。カメラ機器の電源はＯＦＦとなる。
グリップ(１)を手で回動させると、図５(b)に示すように、突部(70)が操作片(75)から離れ、凹部(71)が操作片(75)に対向し、操作片(75)の押し込みが解除される。グリップ(１)を回動させるときは、カメラ機器を使用するときであるから、該操作片(75)の押し込み解除により、カメラ機器の電源はＯＮとなる。即ち、グリップ(１)を手で回動させると、自動的に電源がＯＮ／ＯＦＦとなる。
【００１０】
尚、回動検出板(７)の凹部(71)と突部(70)の位置を上記とは逆にし、突部(70)が操作片(75)を押し込んだときに、カメラ機器の電源をＯＮとし、操作片(75)の押し込み解除により、カメラ機器の電源をＯＦＦとしてもよい。
また、上記では、グリップ(１)を手で回動させるとした。しかし、これに代えて、電源ＯＮ／ＯＦＦ用スイッチを別途設けておくとともに、グリップ(１)にモータ(図示せず)を連繋し、電源ＯＮ時にグリップ(１)を電動で突出させ、電源ＯＦＦ時にグリップ(１)をキャビネット(２)内に電動で収納してもよい。
【００１１】
本発明の変形例として、図６に示すように、キャビネット(２)からヒンジ(80)接続された連結棒(８)の一端部にグリップ(１)を取り付けてもよい。この場合、キャビネット(２)の一側部に、連結棒(８)の回動を邪魔しない凹み(23)が必要となる。
また、上記例では、グリップ(１)の右端部を枢支(10)しているが、図７に示すように、左端部を枢支(10)してもよい。
更に、図８に示すように、グリップ(１)の幅方向の中央部をキャビネット(２)に枢支(10)し、グリップ(１)が切欠き(20)内に収納された状態から９０度回動した時に、グリップ(１)の幅方向の両端部が、キャビネット(２)の前後に突出してもよい。
【００１２】
更に、上記例では、グリップ(１)は切欠き(20)内に配備されたとしているが、図９に示すように、キャビネット(２)内の空洞(21)内に配備される、即ち、グリップ(１)の左方に壁(24)があってもよい。
また、図１０に示すように、空洞(21)内にグリップ(１)を配備し、グリップ(１)の幅方向の中央部を枢支(10)して、グリップ(１)を空洞(21)から出没させてもよい。
図６乃至図１０に示す変形例にあっても、図３に示す止め機構(51)及び図４に示すスイッチ(SW)は同様に設けられる。
【００１３】
本例の効果
グリップ(１)は切欠き(20)又は空洞(21)内にて水平面内を前後に回動して、該切欠き(20)又は空洞(21)から出没する。従って、グリップ(１)はキャビネット(２)内に収納されたまま出没するので、カメラ全体の横幅は大きくならない。
また、グリップ(１)内に電池(６)を収納することによって、グリップ(１)内の空間を有効に利用することができる。
【００１４】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【図面の簡単な説明】
【００１５】
【図１】(a)、(b)、(c)は、カメラ機器の斜視図である。
【図２】グリップの内部構成を示す斜視図である。
【図３】図２の平面図である。
【図４】グリップを下方から見たカメラ機器の斜視図である。
【図５】回動検出板とスイッチの下面図である。
【図６】他のカメラ機器の平面図である。
【図７】他のカメラ機器の平面図である。
【図８】他のカメラ機器の平面図である。
【図９】他のカメラ機器の正面図である。
【図１０】他のカメラ機器の平面図である。
【図１１】従来のカメラ機器の斜視図である。
【符号の説明】
【００１６】
(１)  グリップ
(２)  キャビネット
(20)  切欠き
(21)  空洞
【図１】
2006139159.tif 000003
【図２】
2006139159.tif 000004
【図３】
2006139159.tif 000005
【図４】
2006139159.tif 000006
【図５】
2006139159.tif 000007
【図６】
2006139159.tif 000008
【図７】
2006139159.tif 000009
【図８】
2006139159.tif 000010
【図９】
2006139159.tif 000011
【図１０】
2006139159.tif 000012
【図１１】
2006139159.tif 000013